(57)【要約】【課題】作業性が良く且つ省スペース化を図ることのできるコネクタを提供する。【解決手段】コネクタ本体２の挿入凹部Ｓの挿入開口Ｓａ側とは反対側に、回動不能なスライダ４が装着される。スライダ４がコネクタ本体２に対する始端位置と後端位置との間の中間位置に移動されると、スライダ４のコンタクト駆動部４６が、コンタクト３の可動アーム３２の被駆動凸部３７を押圧駆動する。このため、可動アーム３２が傾動されて可動アーム３２の接触凸部３６が、挿入凹部Ｓへの接続部材７の挿入経路から退避する。スライダ４が終端位置に移動されると、コンタクト駆動解除部４７によって被駆動凸部３７に対する駆動が解除されて、接触凸部３６が接続部材７の導体部７２に対して加圧接触される。【選択図】図７
2019046579.tif 000002
【特許請求の範囲】
【請求項１】
少なくとも一方の面に導体部が設けられたフレキシブルな接続部材が接続される、コネタクであって、
前記接続部材が挿入開口を介して挿入方向に挿入される挿入凹部が形成されたコネクタ本体と、
前記コネクタ本体に固定された固定部と、前記挿入開口側の一端部から前記挿入開口とは反対側の他端部へ前記挿入方向に延びる可動アームと、前記可動アームの前記一端部と前記他端部との間の途中部と前記固定部とを連結し前記可動アームをシーソ状に傾動可能に支持する弾性部とを含むコンタクトであって、前記可動アームが、前記途中部よりも前前記一端部側に配置されて前記導体部と接触される接触凸部と、前記途中部よりも前記他端部側に配置されて前記接触凸部とは逆向きに突出する被駆動凸部とを含むコンタクトと、
前記コネクタ本体において前記挿入開口側とは反対側に配置されて前記コネクタ本体に対して前記挿入開口側の始端位置と前記挿入開口側とは反対側の終端位置とにスライド可能に且つ回動不能に支持されるスライダであって、前記始端位置と前記終端位置との間の中間位置で前記被駆動凸部を押圧駆動することにより、前記弾性部の弾性変形を伴って前記可動アームを傾動させて、前記接触凸部を前記挿入凹部への前記接続部材の挿入経路から退避させるコンタクト駆動部と、前記終端位置で前記被駆動凸部に対する駆動を解除することにより、前記接触部が前記弾性部の付勢力によって前記接続部材の前記導体部に対して加圧接触されることを許容するコンタクト駆動解除部とを含むスライダと、を備える、コネクタ。
【請求項２】
請求項１に記載のコネクタにおいて、前記コンタクトの前記被駆動凸部および前記スライダの前記コンタクト駆動部の少なくとも一方が、前記終端位置側に向かうにしたがって前記コンタクトの前記被駆動凸部の突出方向に向かうように前記スライダのスライド方向に対して傾斜する第１傾斜部を含む、コネクタ。
【請求項３】
請求項１または２に記載のコネクタにおいて、前記コンタクトの前記被駆動凸部および前記スライダの前記コンタクト駆動部の少なくとも一方が、前記始端位置側に向かうにしたがって前記コンタクトの前記被駆動凸部の突出方向に向かうように前記スライダのスライド方向に対して傾斜する第２傾斜部を含む、コネクタ。
【請求項４】
請求項 1〜３の何れか一項に記載のコネクタにおいて、前記スライダが、前記接続部材と係合することにより、前記スライダを前記接続部材と一体に追従移動させる係合部を含む、コネクタ。
【請求項５】
請求項１〜４の何れか一項に記載のコネクタにおいて、前記コネクタ本体に固定された固定部と、前記挿入開口側の一端部から前記挿入開口とは反対側の他端部へ前記挿入方向に延びる可動アームと、前記可動アームの前記一端部と前記他端部との間の途中部と前記固定部とを連結し前記可動アームをシーソ状に傾動可能に支持する弾性部とを含むロック部材であって、前記可動アームが、前記途中部よりも前前記一端部側に配置されて前記接続部材の被係止部に係止可能なロック凸部と、前記途中部よりも前記他端側に配置されて前記接触凸部とは逆向きに突出する被駆動凸部とを含むロック部材をさらに備え、
前記スライダが、前記中間位置で前記ロック部材の前記被駆動凸部を押圧駆動することにより、前記ロック部材の前記弾性部の弾性変形を伴って前記ロック部材の前記可動アームを傾動させて、前記ロック凸部を前記挿入凹部への前記接続部材の挿入経路から退避させるロック部材駆動部と、前記終端位置で前記ロック部材の前記被駆動凸部に対する駆動を解除することにより、前記ロック部材の前記弾性部の弾性復帰によって前記ロック凸部が前記接続部材の被係止部に係止することを許容するロック部材駆動解除部とを含む、コネクタ。
【発明の詳細な説明】
【技術分野】
【０００１】
本発明は、コネクタに関する。
【背景技術】
【０００２】
特許文献１によって提案されるコネクタでは、ハウジング内に収容されるコンタクトが、固定アームと、連結脚を介して前記固定アームと連結され、前記連結脚から前側へ延びる弾性アームと、前記連結脚から前記弾性アームとは反対方向に延びる係合アームとを含む。また、ハウジングの後部に、前記係合アームと係合可能なカム部を含み、回動により開閉されるバックフリップカバーが取り付けられている。
【０００３】
バックフリップカバーの開放状態（弾性アームが自由状態）で、ハウジングの前側の開口を通して、ＦＰＣが、無挿入力でハウジング内に挿入される。その後、バックフリップカバーが閉じられることにより、後側の係合アームと係合したカム部の働きで、前側の弾性アームの接触部が、ＦＰＣに加圧される。
特許文献１では、コネクタ本体の前側でＦＰＣの挿入作業を行い、コネクタ本体の後側で接触部をＦＰＣに加圧するためのスライダの操作を行うため、作業性が良いという利点がある。
【先行技術文献】
【特許文献】
【０００４】
【特許文献１】特開２００９−２７７３９８号公報
【発明の概要】
【発明が解決しようとする課題】
【０００５】
しかしながら、バックフリップカバーが開閉のために回動されるため、バックフリップカバーの開放時にコネクタの高さが高くなり、省スペース化が図れない。
本発明の目的は、作業性が良く且つ省スペース化を図ることのできるコネクタを提供することである。
【課題を解決するための手段】
【０００６】
請求項１に記載の発明は、少なくとも一方の面（７ａ）に導体部（７２）が設けられたフレキシブルな接続部材（７）が接続される、コネタク（１）であって、前記接続部材が挿入開口（Ｓａ）を介して挿入方向（Ｘ１）に挿入される挿入凹部（Ｓ）が形成されたコネクタ本体（２）と、前記コネクタ本体に固定された固定部（３１）と、前記挿入開口側の一端部（３２ａ）から前記挿入開口とは反対側の他端部（３２ｂ）へ前記挿入方向に延びる可動アーム（３２）と、前記可動アームの前記一端部と前記他端部との間の途中部（３２ｃ）と前記固定部とを連結し前記可動アームをシーソ状に傾動可能に支持する弾性部（３３）とを含むコンタクト（３）であって、前記可動アームが、前記途中部よりも前前記一端部側に配置されて前記導体部と接触される接触凸部（３６）と、前記途中部よりも前記他端部側に配置されて前記接触凸部とは逆向きに突出する被駆動凸部（３７）とを含むコンタクトと、前記コネクタ本体において前記挿入開口側とは反対側に配置されて前記コネクタ本体に対して前記挿入開口側の始端位置と前記挿入開口側とは反対側の終端位置とにスライド可能に且つ回動不能に支持されるスライダ（４）であって、前記始端位置と前記終端位置との間の中間位置で前記被駆動凸部を押圧駆動することにより、前記弾性部の弾性変形を伴って前記可動アームを傾動させて、前記接触凸部を前記挿入凹部への前記接続部材の挿入経路から退避させるコンタクト駆動部（４６）と、前記終端位置で前記被駆動凸部に対する駆動を解除することにより、前記接触部が前記弾性部の付勢力によって前記接続部材の前記導体部に対して加圧接触されることを許容するコンタクト駆動解除部（４７）とを含むスライダと、を備える、コネクタを提供する。
【０００７】
なお、括弧内の英数字は、後述する実施形態における対応構成要素等を表すが、このことは、むろん、本発明がそれらの実施形態に限定されるべきことを意味するものではない。以下、この項において同じ。
請求項２に記載の発明のように、請求項１において、前記コンタクトの前記被駆動凸部および前記スライダの前記コンタクト駆動部の少なくとも一方が、前記終端位置側に向かうにしたがって前記コンタクトの前記被駆動凸部の突出方向に向かうように前記スライダのスライド方向に対して傾斜する第１傾斜部（３７ｂ；４６ｂ）を含んでいてもよい。
【０００８】
請求項３に記載の発明のように、請求項１または２において、前記コンタクトの前記被駆動凸部および前記スライダの前記コンタクト駆動部の少なくとも一方が、前記始端位置側に向かうにしたがって前記コンタクトの前記被駆動凸部の突出方向に向かうように前記スライダのスライド方向に対して傾斜する第２傾斜部（３７ｃ）を含んでいてもよい。
請求項４に記載の発明のように、請求項 1〜３の何れか一項において、前記スライダが、前記接続部材と係合することにより、前記スライダを前記接続部材と一体に追従移動させる係合部（４２ｂ）を含んでいてもよい。
【０００９】
請求項５に記載の発明のように、請求項１〜４の何れか一項において、前記コネクタ本体に固定された固定部（５１）と、前記挿入開口側の一端部（５２ａ）から前記挿入開口とは反対側の他端部（５２ｂ）へ前記挿入方向に延びる可動アーム（５２）と、前記可動アームの前記一端部と前記他端部との間の途中部（５２ｃ）と前記固定部とを連結し前記可動アームをシーソ状に傾動可能に支持する弾性部（５３）とを含むロック部材（５）であって、前記可動アームが、前記途中部よりも前前記一端部側に配置されて前記接続部材の被係止部（７５）に係止可能なロック凸部（５６）と、前記途中部よりも前記他端側に配置されて前記接触凸部とは逆向きに突出する被駆動凸部（５７）とを含むロック部材をさらに備え、前記スライダが、前記中間位置で前記ロック部材の前記被駆動凸部を押圧駆動することにより、前記ロック部材の前記弾性部の弾性変形を伴って前記ロック部材の前記可動アームを傾動させて、前記ロック凸部を前記挿入凹部への前記接続部材の挿入経路から退避させるロック部材駆動部（４８）と、前記終端位置で前記ロック部材の前記被駆動凸部に対する駆動を解除することにより、前記ロック部材の前記弾性部の弾性復帰によって前記ロック凸部が前記接続部材の被係止部に係止することを許容するロック部材駆動解除部（４９）とを含んでいてもよい。
【発明の効果】
【００１０】
請求項１に記載の発明では、スライダが中間位置に移動された状態で、スライダのコンタクト駆動部が、コンタクトの可動アームの被駆動凸部を押圧駆動することにより、可動アームが傾動されて可動アームの接触凸部が、挿入凹部への接続部材の挿入経路から退避する。これにより、接続部材を無挿入力で挿入凹部に挿入することができる。その後、スライダが終端位置に移動されることにより、被駆動凸部に対する駆動が解除されて、接触凸部が接続部材の導体部に対して加圧接触される。接続部材の挿入開口側とは反対側に配置される回動不能なスライダを用いてコンタクトを操作するので、作業性が良く、しかも、省スペース化を図ることができる。
【００１１】
請求項２に記載の発明では、スライダを始端位置からスライドさせるときに、スライダのスライド力が、第１傾斜部によって、コンタクトの弾性部を弾性変形させつつ可動アームを傾動変位させる力に変換される。このため、コンタクトの可動アームを容易に傾動変位させて、接触凸部を接続部材の挿入経路から退避させることができる。
請求項３に記載の発明では、スライダを終端位置からスライドさせるときに、スライダのスライド力が、第２傾斜部によって、コンタクトの弾性部を弾性変形させつつ可動アームを傾動変位させる力に変換される。このため、コンタクトの可動アームを容易に傾動変位させて、接続部材の導体部に対するコンタクトの接触凸部の加圧接触を解除することができる。
【００１２】
請求項４に記載の発明では、接続部材がスライダの係合部と係合した状態で、スライダが、接続部材と一体に追従移動される。このため、挿入凹部に接続部材を挿入する一動作で、接続部材をコネクタに装着することができ、作業性が良い。
請求項５に記載の発明では、スライダが中間位置に移動された状態で、スライダのロック部材駆動部が、ロック部材の可動アームの被駆動凸部を押圧駆動することで、ロック部材の可動アームが傾動されてロック部材の可動アームのロック凸部が、挿入凹部への接続部材の挿入経路から退避する。これにより、接続部材を無挿入力で挿入凹部に挿入することができる。その後、スライダが終端位置に移動されることにより、ロック部材の被駆動凸部に対する駆動が解除されて、ロック部材の弾性復帰によってロック凸部が接続部材の被係止部に対して係止することが許容される。
【図面の簡単な説明】
【００１３】
【図１】図１（ａ）および図１（ｂ）は、本発明の一実施形態のコネクタの斜視図であり、図１（ａ）は接続部材が接続される前の状態を示し、図１（ｂ）は接続部材が接続された状態を示している。図１（ｃ）は接続部材の概略断面図である。
【図２】コネクタの概略分解斜視図である。
【図３】図３（ａ）はコンタクトの側面図であって、図３（ｂ）はロック部材の側面図である。
【図４】図４（ａ）はコネクタ本体の背面図であってコネクタ本体を後面部側から見た図であり、図４（ｂ）はコネクタ本体の正面図であってコネクタ本体を前面部側から見た図である。
【図５】図５はスライダの正面図であって、スライダを前面部側から見た図である。
【図６】図６（ａ），（ｂ）および（ｃ）は、スライダが始端位置にある状態のコネクタの断面図である。図６（ａ）はスライダの挿入凸部の周辺を示し、図６（ｂ）はコンタクトの周辺を示し、図６（ｃ）はロック部材の周辺を示している。
【図７】図７（ａ），（ｂ）および（ｃ）は、コンタクトの周辺におけるコネクタの断面図である。図７（ａ）はスライダが始端位置にある状態を示し、図７（ｂ）はスライダが中間位置にある状態を示し、図７（ｃ）はスライダが終端位置にある状態を示している。
【図８】図８（ａ）および（ｂ）は、ロック部材の周辺におけるコネクタの断面図である。図８（ａ）はスライダが中間位置にある状態を示し、図８（ｂ）はスライダが終端位置にある状態を示している。
【発明を実施するための形態】
【００１４】
以下、本発明を具体化した実施形態を図面に従って説明する。
図１（ａ）および（ｂ）は、本発明の一実施形態に係るコネクタ１の概略斜視図であり、コネクタ１を斜め後側から見た図である。図１（ａ）は接続部材７が接続される前の状態を示し、図１（ｂ）は接続部材７が接続された状態を示している。図１（ａ）および（ｂ）を参照して、コネクタ１は、基板１０の表面に実装されるコネクタであって、接続部材７と基板１０とを接続するためのコネクタである。
【００１５】
図１（ａ）および概略分解斜視図である図２に示すように、コネクタ１は、コネクタ本体２と、複数のコンタクト３と、スライダ４と、一対のロック部材５とを備える。
図１（ｃ）は接続部材７の長手方向Ｌに沿う断面図である。図１（ａ）および（ｃ）を参照して、接続部材７について説明する。接続部材７は、ＦＦＣ（フレキシブル・フラット・ケーブル）やＦＰＣ（フレキシブル・プリンテッド・サーキット）などのフレキシブルな平形の接続部材である。本実施形態では、接続部材７がＦＦＣである場合に則して説明する。
【００１６】
接続部材７は、一方の面７ａと他方の面７ｂとを備えており、長手方向Ｌに延びる。接続部材７は、絶縁部７１と、長手方向Ｌに延びる複数の導体部７２とを含む。複数の導体部７２は、長手方向Ｌと直交する幅方向Ｗに並んで配置されている。絶縁部７１は、接続部材７の他方の面７ｂ側に配置されたベース部７３と、接続部材７の一方の面７ａ側に配置されたカバー部７４とを含む。カバー部７４は、各導体部７２の端部７２ａが、接続部材７の長手方向Ｌの一端部７ｅから所定距離の間で露出するように、ベース部７３および各導体部７２を覆っている。
【００１７】
また、図１（ａ）に示すように、接続部材７は、一端部７ｅから所定距離の範囲で両側方へ突出する突片部７ｃをベース部７３によって形成しており、各突片部７ｃには、被係止部としての被係止孔７５が形成されている。被係止孔７５は、接続部材７の一端部７ｅから離隔して配置されている。接続部材７がコネクタ１に接続された状態で、図８（ｂ）に示すように、ロック部材５のロック凸部５６が接続部材７の被係止孔７５に係止することにより、接続部材７の抜け止めが達成され、接続部材７の接続状態がロックされる。
【００１８】
図１（ａ）に示すように、接続部材７は、一端部７ｅ側からコネクタ本体２に対してコネクタ本体２の後側から挿入方向Ｘ１（前側）に向けて挿入され、挿入方向Ｘ１の反対方向である抜脱方向Ｘ２に抜脱される。スライダ４は、コネクタ本体２の後側半部にスライド可能に取り付けられている。スライダ４は、接続部材７の挿入に伴って、図１（ａ）に示す前側の始端位置から図１（ｂ）に示す後側の終端位置まで追従移動される。
【００１９】
次いで、図３（ａ）を参照して、コンタクト３について説明する。コンタクト３は金属材料製であり、接続部材７の導体部７２と同数設けられている。コンタクト３は、固定部としての固定アーム３１と、可動アーム３２と、弾性部３３と、接続アーム３４とを含む。固定アーム３１と、自由状態にある可動アーム３２と、接続アーム３４とは、挿入方向Ｘ１と平行に延びている。
【００２０】
固定アーム３１は、前側の一端部３１ａと、後側の他端部３１ｂと、一端部３１ａと他端部３１ｂとの間に設けられた係止突起３１ｃとを含む。コネクタ１の断面図である図６（ｂ）に示すように、固定アーム３１の他端部３１ｂは、コネクタ本体２の後側へ突出している。
図３（ａ）に示すように、接続アーム３４は、固定アーム３１の他端部３１ｂから後側に直線状に延びている。接続アーム３４は、固定アーム３１の他端部３１ｂと接続された前側の一端部３４ａと、後側の他端部３４ｂと、他端部３４ｂから延設されたアングル状の脚部であるリード部３５とを含む。リード部３５は、基板１０の導体部（図示せず）と接続される。
【００２１】
可動アーム３２は、前側の一端部３２ａと、後側の他端部３２ｂと、一端部３２ａと他端部３２ｂとの間の途中部３２ｃと、一対の接触凸部３６と、被駆動凸部３７とを含む。一対の接触凸部３６は、途中部３２ｃよりも一端部３２ａ側に配置され、固定アーム３１側へ突出する山形の凸部である。一対の接触凸部３６は、コネクタ１の断面図である図７（ｃ）に示すように、接続部材７の対応する導体部７２と接続される。一対の接触凸部３６は、単一で設けられていてもよい。
【００２２】
図３（ａ）に示すように、被駆動凸部３７は、途中部３２ｃよりも他端部３２ｂ側に配置され、接触凸部３６とは逆向きに突出する山形の凸部である。被駆動凸部３７は、スライダ４によって駆動される。被駆動凸部３７は、頂部３７ａと、頂部３７ａを挟んで配置された第１傾斜部３７ｂおよび第２傾斜部３７ｃとを含む。
第１傾斜部３７ｂは、頂部３７ａの前側（一端部３２ａ側）に配置され、後側（他端部３２ｂ側。スライダ４の終端位置側）に向かうにしたがって被駆動凸部３７の突出方向に向かうようにスライダ４のスライド方向（挿入方向Ｘ１および抜脱方向Ｘ２に相当）に対して傾斜する。
【００２３】
第２傾斜部３７ｃは、頂部３７ａの後側（他端部３２ｂ側）に配置され、前側（一端部３２ａ側。スライダ４の始端位置側）に向かうにしたがって被駆動凸部３７の突出方向に向かうようにスライダ４のスライド方向に対して傾斜する。
弾性部３３は、固定アーム３１の他端部３１ｂと可動アーム３２の途中部３２ｃとを連結している。弾性部３３は、固定アーム３１の他端部３１ｂと接続された直線状の第１片部３３ａと、可動アーム３２の途中部３２ｃと接続された直線状の第２片部３３ｂと、第１片部３３ａと第２片部３３ｂとを屈曲状に連結する連結部３３ｃとを含む。
【００２４】
第１片部３３ａと第２片部３３ｂとは、挿入方向Ｘ１に対して互いに逆向きに傾斜しており、連結部３３ｃによって互いに連結されて前側へ突出する山形状をなしている。弾性部３３は、コネクタ１の断面図である図７（ｂ）に示すように、第１片部３３ａに対して第２片部３３ｂが変位することで、第１片部３３ａと第２片部３３ｂとの屈曲角度が縮小されるように弾性変形される。これにより、弾性部３３は、連結部３３ｃを支点部として、可動アーム３２をシーソ状に傾動変位させるように弾性的に支持する。
【００２５】
次いで、図３（ｂ）を参照して、ロック部材５について説明する。
ロック部材５は金属材料製であり、接続部材７の一対の被係止孔７５に対応して一対設けられている。ロック部材５は、固定部としての固定アーム５１と、可動アーム５２と、弾性部５３と、接続アーム５４とを含む。固定アーム５１と、自由状態にある可動アーム５２と、接続アーム５４とは、挿入方向Ｘ１と平行に延びている。
【００２６】
固定アーム５１は、前側の一端部５１ａと、後側の他端部５１ｂと、一端部５１ａと他端部５１ｂとの間に設けられた係止突起５１ｃとを含む。コネクタ１の断面図である図６（ｃ）に示すように、固定アーム５１の他端部５１ｂは、コネクタ本体２の後側へ突出している。
図３（ｂ）に示すように、接続アーム５４は、固定アーム５１の他端部５１ｂから後側に直線状に延びている。接続アーム５４は、固定アーム５１の他端部５１ｂと接続された前側の一端部５４ａと、後側の他端部５４ｂと、他端部５４ｂから延設されたアングル状の脚部であるリード部５５とを含む。リード部５５は、基板１０の導体部（図示せず）と接続される。
【００２７】
可動アーム５２は、前側の一端部５２ａと、後側の他端部５２ｂと、一端部５２ａと他端部５２ｂとの間の途中部５２ｃと、ロック凸部５６と、被駆動凸部５７とを含む。ロック凸部５６は、途中部５２ｃよりも一端部５２ａ側（本実施形態では一端部５２ａ）に配置され、固定アーム５１側へ突出している。ロック凸部５６は、コネクタ１の断面図である図８（ｂ）に示すように、接続部材７の対応する被係止孔７５に挿入される。
【００２８】
図３（ｂ）に示すように、被駆動凸部５７は、途中部５２ｃよりも他端部５２ｂ側に配置され、ロック凸部５６とは逆向きに突出している。被駆動凸部５７は、スライダ４によって駆動される。被駆動凸部５７は、頂部５７ａと、頂部５７ａを挟んで配置された第１傾斜部５７ｂおよび第２傾斜部５７ｃとを含む。
第１傾斜部５７ｂは、頂部５７ａの前側（一端部５２ａ側）に配置され、後側（他端部５２ｂ側。スライダ４の終端位置側）に向かうにしたがって被駆動凸部５７の突出方向に向かうようにスライダ４のスライド方向に対して傾斜する。
【００２９】
第２傾斜部５７ｃは、頂部５７ａの後側（他端部５２ｂ側）に配置され、前側（一端部５２ａ側。スライダ４の始端位置側）に向かうにしたがって被駆動凸部５７の突出方向に向かうようにスライダ４のスライド方向に対して傾斜する。
弾性部５３は、固定アーム５１の他端部５１ｂと可動アーム５２の途中部５２ｃとを連結している。弾性部５３は、固定アーム５１の他端部５１ｂと接続された直線状の第１片部５３ａと、可動アーム５２の途中部５２ｃと接続された直線状の第２片部５３ｂと、第１片部５３ａと第２片部５３ｂとを屈曲状に連結する連結部５３ｃとを含む。
【００３０】
第１片部５３ａと第２片部５３ｂとは、挿入方向Ｘ１に対して互いに逆向きに傾斜しており、連結部５３ｃによって連結されて前側へ突出する山形状をなしている。弾性部５３は、コネクタ１の断面図である図８（ａ）に示すように、第１片部５３ａに対して第２片部５３ｂが変位することで、第１片部５３ａと第２片部５３ｂとの屈曲角度が縮小されるように弾性変形される。これにより、弾性部５３は、連結部５３ｃを支点部として、可動アーム５２をシーソ状に傾動変位させるように弾性的に支持する。
【００３１】
次いで、コネクタ本体２について説明する。図４（ａ）はコネクタ本体２の背面図であり、図４（ｂ）はコネクタ本体２の正面図である。図６（ｂ）はコンタクト３の周辺におけるコネクタ１の断面図である。
図４（ａ）に示すように、コネクタ本体２は、底壁部２１と、天壁部２２と、一対の側壁部２３とを含む。コネクタ本体２は、絶縁材料により形成されている。
【００３２】
底壁部２１と天壁部２２と一対の側壁部２３とによって、接続部材７が前側から挿入される挿入凹部Ｓが形成されている。図６（ｂ）に示すように、コネクタ本体２は、前面部２ａと後面部２ｂとを有している。挿入凹部Ｓは、コネクタ本体２の前面部２ａから後面部２ｂへと貫通するように形成されている。挿入凹部Ｓは、コネクタ本体２の前面部２ａに開口する挿入開口Ｓａを有している。
【００３３】
図２および図６（ａ）に示すように、天壁部２２は、底壁部２１と対向する主体部２２ａと、底壁部２１よりも後側に張り出す張出部２２ｂとを含む。張出部２２ｂには、張出部２２ｂの一対の側縁から下向きに突出するフランジ２２ｃが一体に形成されている。図２に示すように、張出部２２ｂは、後側に向かって幅が狭くされている。一対のフランジ２２ｃ間の間隔も後側に向かって狭くされている。これにより、張出部２２ｂの下側で一対のフランジ２２ｃ間に配置されたスライダ４が、後側へ抜け難くされている。
【００３４】
図４（ｂ）および図６（ａ）に示すように、コネクタ本体２の後面部２ｂには、一対の張出部２２ｂ間で幅方向Ｗに延びる位置決め凹部２ｃが形成されている。スライダ４は、図６（ａ）ないし図７（ａ）に示すように後面部２ｂの位置決め凹部２ｃに突き当てられる始端位置と、図７（ｃ）に示すようにコンタクト３のリード部３５に突き当てられる終端位置とに、スライド可能に且つ回動不能にコネクタ本体２に取り付けられている。
【００３５】
図２および図４（ｂ）に示すように、コネクタ本体２は、その後面部２ｂにおいて一対の側壁部２３から後側へ突出する一対の案内アーム２４を含む。一対の案内アーム２４は、スライダ４の被案内孔４３ａと係合してスライダ４のスライドを案内する。コネクタ本体２の案内アーム２４とスライダ４の被案内孔４３ａとで、案内機構Ｇが構成されている。案内アーム２４および被案内孔４３ａは、例えば断面矩形に形成されている。
【００３６】
図４（ｂ）に示すように、コネクタ本体２の後面部２ｂには、各コンタクト３の前側半部を収容するコンタクト収容部２５が開口されている。図６（ｂ）に示すように、コンタクト収容部２５は、コンタクト３の固定アーム３１が後側から圧入固定される固定孔２５ａと、可動アーム３２の一端部３２ａを含む前側半部が収容される可動アーム収容孔２５ｂと、弾性部３３の連結部３３ｃが収容される連結部収容溝２５ｃとを含む。可動アーム３２の傾動変位の支点となる連結部３３ｃが、可動側であるスライダ４ではなく、固定側であるコネクタ本体２の連結部収容溝２５ｃに収容されてガイドされるので、可動アーム３２の傾動変位が安定する。
【００３７】
図４（ｂ）に示すように、コネクタ本体２の後面部２ｂには、各ロック部材５の前側半部を収容する一対のロック部材収容部２６が開口されている。コネクタ本体２の後面部２ｂにおいて、一対のロック部材収容部２６を挟んだ両側に、断面矩形の一対のスライダ挿入溝２７が開口されており、一対のロック部材収容部２６の間に、複数のコンタクト収容部２５が開口されている。
【００３８】
図６（ｃ）に示すように、ロック部材収容部２６は、ロック部材５の固定アーム５１が後側から圧入固定される固定孔２６ａと、ロック部材５の可動アーム５２の一端部５２ａを含む前側半部が収容される可動アーム収容孔２６ｂと、ロック部材５の弾性部５３の連結部３３ｃが収容される連結部収容溝２６ｃとを含む。可動アーム５２の傾動変位の支点となる連結部５３ｃが、可動側であるスライダ４ではなく、固定側であるコネクタ本体２の連結部収容溝２６ｃに収容されてガイドされるので、可動アーム３２の傾動変位が安定する。
【００３９】
次いで、スライダ４について説明する。図５はスライダ４の背面図である。
図２に示すように、スライダ４は、スライダ本体４１と、一対の挿入凸部４２と、一対の被案内部４３とを含む。スライダ本体４１は、幅方向Ｗに延びる直方体形状を形成している。図２ないし図５に示すように、スライダ本体４１は、前面部４１ａと、後面部４１ｂと、一対の側面部４１ｃと、上面部４１ｄと、底面部４１ｅとを有している。
【００４０】
図２に示すように、スライダ４の一対の挿入凸部４２は、断面矩形をなし、スライダ本体４１の前面部４１ａの一対の側部から前側に突出している。図６（ａ）に示すように、一対の挿入凸部４２は、コネクタ本体２の後面部２ｂに開口する一対のスライダ挿入溝２７［図４（ｂ）を参照］に挿入されている。図２および図６（ａ）に示すように、挿入凸部４２の前面部４２ａには、コネクタ本体２に挿入される接続部材７の一端部７ｅと係合する係合部としての係合凹部４２ｂが形成されている。
【００４１】
図５および図６（ａ）に示すように、スライダ本体４１の前面部４１ａに、幅方向Ｗに延び前側へ突出する係合凸部４１ｆが設けられている。図６（ａ）に示すように、スライダ４の前面部４１ａの係合凸部４１ｆが、コネクタ本体２の後面部２ｂの位置決め凹部２ｃと当接することにより、スライダ４が始端位置に位置決めされる。
スライダ本体４１は、図６（ｂ）に示すように各コンタクト３の後側半部が挿通されたコンタクト挿通溝４４と、図６（ｃ）に示すように各ロック部材５の後側半部が挿通されたロック部材挿通溝４５とを形成している。図５に示すように、コンタクト挿通溝４４およびロック部材挿通溝４５は、断面矩形に形成され、図６（ｂ）、（ｃ）に示すように、スライダ本体４１の前面部４１ａと後面部４１ｂとを貫通している。
【００４２】
図６（ｂ）に示すように、スライダ４のスライダ本体４１は、コンタクト３の可動アーム３２を傾動変位させるように駆動するコンタクト駆動部４６と、前記駆動を解除するコンタクト駆動解除部４７とを含む。コンタクト駆動部４６は、スライダ本体４１においてコンタクト挿通溝４４の内上面を区画する部分における後側端部から前側へ所定範囲に形成された凸部である。
【００４３】
コンタクト駆動部４６を構成する凸部は、頂部４６ａと、頂部４６ａの後側に配置された第１傾斜部４６ｂと、頂部４６ａの前側に配置された直交部４６ｃとを含む。コンタクト駆動部４６の頂部４６ａは、スライダ４が始端位置にある状態で自由状態にあるコンタクト３の可動アーム３２と平行な平坦部である。直交部４６ｃは頂部４６ａと略直交している。
【００４４】
図７（ａ）に示すように、第１傾斜部４６ｂは、スライダ４が始端位置にある状態で、コンタクト３の可動アーム３２の被駆動凸部３７の第１傾斜部３７ｂに対して係合直前の状態とされる。
図７（ｂ）に示すように、スライダ４が中間位置にある状態で、コンタクト駆動部４６の頂部４６ａとコンタクト３の被駆動凸部３７の頂部３７ａとが係合されることにより、接触凸部３６が接続部材７の挿入経路から退避される。これにより、接続部材７を無挿入力で挿入凹部Ｓに挿入することが可能となる。
【００４５】
図７（ｃ）に示すように、スライダ４が終端位置にある状態で、コンタクト駆動部４６の直交部４６ｃが、コンタクト３の被駆動凸部３７の第２傾斜部３７ｃと係合直前の状態とされる。
コンタクト駆動解除部４７は、スライダ本体４１においてコンタクト挿通溝４４の内上面を区画する部分においてコンタクト駆動部４６の前側に形成され、コンタクト駆動部４６から窪む凹部である。図７（ｃ）に示すように、スライダ４の終端位置で、スライダ４のコンタクト駆動解除部４７は、コンタクト３の可動アーム３２の被駆動凸部３７の挿入を許容し、被駆動凸部３７に対する駆動を解除する。これにより、コンタクト３の可動アーム３２の接触凸部３６が、弾性部３３の付勢力によって接続部材７の導体部７２に対して加圧接触されることが許容される。
【００４６】
図６（ｃ）に示すように、スライダ４のスライダ本体４１は、ロック部材５の可動アーム５２を傾動変位させるように駆動するロック部材駆動部４８と、前記駆動を解除するロック部材駆動解除部４９とを含む。ロック部材駆動部４８は、スライダ本体４１においてロック部材挿通溝４５の内上面を区画する部分において後側端部から所定距離離隔して形成された凸部である。
【００４７】
ロック部材駆動部４８を構成する凸部は、頂部４８ａと、頂部４８ａの後側に配置され第１傾斜部４８ｂと、頂部４８ａの前側に配置され第１傾斜部４８ｂとは逆向きに傾斜する第２傾斜部４８ｃとを含む。ロック部材駆動部４８の頂部４８ａは、スライダ４が始端位置にある状態で自由状態にあるロック部材５の可動アーム５２に対して平行な平坦部である。
【００４８】
図６（ｃ）に示すように、ロック部材駆動部４８の第１傾斜部４８ｂは、スライダ４が始端位置にある状態で、ロック部材５の可動アーム５２の被駆動凸部５７の第１傾斜部５７ｂに対して係合直前の状態とされる。
図８（ａ）に示すように、スライダ４が中間位置にある状態で、ロック部材駆動部４８の頂部４８ａとロック部材５の被駆動凸部５７の頂部５７ａとが係合されることにより、ロック凸部５６が接続部材７の挿入経路から退避される。これにより、接続部材７を無挿入力で挿入凹部Ｓに挿入することが可能となる。
【００４９】
図８（ｂ）に示すように、スライダ４が終端位置にある状態で、ロック部材駆動部４８の第２傾斜部４８ｃが、ロック部材５の被駆動凸部５７の第２傾斜部５７ｃと係合直前の状態とされる。
図６（ｃ）に示すように、ロック部材駆動解除部４９は、スライダ本体４１においてコンタクト挿通溝４４の内上面を区画する部分においてロック部材駆動部４８の前側に形成され、ロック部材駆動部４８から窪む凹部である。
【００５０】
図８（ｂ）に示すように、スライダ４の終端位置で、スライダ４のロック部材駆動解除部４９は、ロック部材５の可動アーム５２の被駆動凸部５７の挿入を許容し、被駆動凸部５７に対する駆動を解除する。これにより、ロック部材５の可動アーム５２のロック凸部５６が、弾性部５３の付勢力によって接続部材７の被係止孔７５に挿入されることが許容される。
【００５１】
次いで、コネクタ１に対する接続部材７の接続動作について、説明する。
図６（ａ）に示すように、スライダ４が始端位置にある状態で、接続部材７が、一端部７ｅ側から、コネクタ本体２の挿入開口Ｓａを通して挿入凹部Ｓに挿入される。挿入凹部Ｓに挿入された接続部材７の一端部７ｅが、スライダ４の挿入凸部４２の係合凹部４２ｂと係合されることにより、スライダ４が接続部材７と一体に挿入方向Ｘ１に追従移動されることが可能となる。
【００５２】
図６（ｂ）に示すように、スライダ４が始端位置にある状態で、スライダ４のコンタクト駆動部４６の第１傾斜部４６ｂが、コンタクト３の可動アーム３２の被駆動凸部３７の第１傾斜部３７ｂと係合直前の状態にある。また、図６（ｃ）に示すように、スライダ４が始端位置にある状態で、スライダ４のロック部材駆動部４８の第１傾斜部４８ｂが、ロック部材５の可動アーム５２の被駆動凸部５７の第１傾斜部５７ｂと係合直前の状態にある。
【００５３】
このため、接続部材７の挿入に伴ってスライダ４が始端位置から僅かにスライドされると、コンタクト３の可動アーム３２が、第１傾斜部４６ｂ，３７ｂの働きで、傾動変位される。その後、図７（ｂ）に示すように、スライダ４が中間位置にスライドされた状態で、コンタクト駆動部４６の頂部４６ａが、コンタクト３の可動アーム３２の被駆動凸部３７の頂部３７ａと係合されることにより、傾動変位された可動アーム３２の接触凸部３６が、挿入凹部Ｓへの接続部材７の挿入経路から退避される。
【００５４】
また、接続部材７の挿入に伴ってスライダ４が始端位置から僅かにスライドされると、ロック部材５の可動アーム５２が、第１傾斜部４８ｂ，５７ｂの働きで、傾動変位される。その後、図８（ａ）に示すように、スライダ４が中間位置にスライドされた状態で、ロック部材駆動部４８の頂部４８ａが、ロック部材５の可動アーム５２の被駆動凸部５７の頂部５７ａと係合されることにより、傾動変位された可動アーム５２のロック凸部５６が、挿入凹部Ｓへの接続部材７の挿入経路から退避される。
【００５５】
図７（ｂ）および図８（ａ）に示すように、コンタクト３の接触凸部３６およびロック部材のロック凸部５６が、接続部材７の挿入経路から退避された状態で、接続部材７が、無挿入力で挿入凹部Ｓに挿入される。
接続部材７の挿入に伴ってスライダ４が終端位置にスライドされた状態で、図７（ｃ）に示すように、コンタクト３の可動アーム３２の被駆動凸部３７が、スライダ４の凹部からなるコンタクト駆動解除部４７に挿入されて、被駆動凸部３７に対する駆動が解除される。これにより、弾性部３３の付勢力によって、可動アーム３２が傾動状態から固定アーム３１に対する略平行状態へと弾性復帰されて、接触凸部３６が、接続部材７の導体部７２に対して加圧接触される。
【００５６】
また、スライダ４が終端位置にスライドされた状態で、図８（ｂ）に示すように、ロック部材５の可動アーム５２の被駆動凸部５７が、スライダ４の凹部からなるロック部材駆動解除部４９に挿入され、被駆動凸部５７に対する駆動が解除される。これにより、弾性部５３の付勢力によって、可動アーム５２が傾動状態から固定アーム５１に対する略平行状態へと弾性復帰されて、ロック凸部５６が、接続部材７の被係止孔７５に挿入されて係止される。これにより、接続部材７の抜止めが達成され、コネクタ１に対する接続部材７の接続状態がロックされる。
【００５７】
本実施形態によれば、図７（ｂ）に示すように、スライダ４が中間位置に移動された状態で、スライダ４のコンタクト駆動部４６が、コンタクト３の可動アーム３２の被駆動凸部３７を押圧駆動することにより、可動アーム３２が傾動されて可動アーム３２の接触凸部３６が、挿入凹部Ｓへの接続部材７の挿入経路から退避する。これにより、接続部材７を無挿入力で挿入凹部Ｓに挿入することができる。その後、図７（ｃ）に示すように、スライダ４が終端位置に移動されることにより、被駆動凸部３７に対する駆動が解除されて、接触凸部３６が接続部材７の導体部７２に対して加圧接触される。このように、接続部材７の挿入開口Ｓａ側とは反対側に配置される回動不能なスライダ４を用いてコンタクト３を操作するので、作業性が良く、しかも、省スペース化を図ることができる。
【００５８】
また、スライダ４を図７（ａ）に示される始端位置から中間位置側へスライドさせるときに、スライダ４のスライド力が、スライダ４の第１傾斜部４６ｂおよびコンタクト３の第１傾斜部３７ｂによって、コンタクト３の弾性部３３を弾性変形させつつ可動アーム３２を傾動変位させる力に変換される。このため、図７（ｂ）に示すように、コンタクト３の可動アーム３２を容易に傾動変位させて、接触凸部３６を接続部材７の挿入経路から退避させることができる。
【００５９】
また、スライダ４を図７（ｃ）に示される終端位置から中間位置側へスライドさせるときに、スライダ４のスライド力が、コンタクト３の第２傾斜部３７ｃによって、コンタクト３の弾性部３３を弾性変形させつつ可動アーム３２を傾動変位させる力に変換される。このため、コンタクト３の可動アーム３２を容易に傾動変位させて、接続部材７の導体部７２に対するコンタクト３の接触凸部３６の加圧接触を解除することができる。
【００６０】
また、接続部材７がスライダ４の挿入凸部４２の係合凹部４２ｂと係合する状態で、スライダ４が、接続部材７と一体に追従移動される。このため、コネクタ本体２の挿入凹部Ｓに接続部材７を挿入する一動作で、接続部材７をコネクタ１に装着することができ、作業性が良い。
また、スライダ４が図８（ａ）に示される中間位置に移動された状態で、スライダ４のロック部材駆動部４８が、ロック部材５の可動アーム５２の被駆動凸部５７を押圧駆動することで、ロック部材５の可動アーム５２が傾動されてロック部材５の可動アーム５２のロック凸部５６が、挿入凹部Ｓへの接続部材７の挿入経路から退避する。これにより、接続部材７を無挿入力で挿入凹部Ｓに挿入することができる。その後、スライダ４が図８（ｂ）に示される終端位置に移動されることにより、ロック部材５の被駆動凸部５７に対する駆動が解除されて、ロック部材５の弾性復帰によってロック凸部５６が接続部材７の被係止孔７５に対して係止することが許容される。これにより、接続部材７の抜け止めが達成され、コネクタ１に対する接続部材７の接続状態がロックされる。
【００６１】
本発明は、前記実施形態に限定されるものではなく、例えば、第１傾斜部は、コンタクト３の被駆動凸部３７およびスライダ４のコンタクト駆動部４６の少なくとも一方に設けられればよい。また、第２傾斜部は、コンタクト３の被駆動凸部３７およびスライダ４のコンタクト駆動部４６の少なくとも一方に設けられればよい。
また、前記実施形態では、接続部材７の一端部７ｅがスライダ４の係合凹部４２ｂ（係合部）と係合することで、スライダ４を接続部材７に追従移動させて、接続部材７の挿入の一動作でコネクタ１に接続可能な構成であるが、これに限らない。すなわち、図示していないが、スライダ４を中間位置に変位させた状態で、接続部材７を無挿入力で挿入完了位置まで挿入し、その後に、スライダ４を終端位置までスライドさせて接触圧力を得る、という二動作で、コネクタ１への接続を達成するようにしてもよい。
【００６２】
また、ロック部材５が設けられない構成であってもよい。また、図示していないが、接続部材７の他方の面７ｂに積層された補強板によって、接続部材７の一端部７ｅから長手方向Ｌの所定範囲の部分が補強されていてもよい。また、図示していないが、接続部材７の他方の面７ｂにも導体部７２が設けられ、他方の面７ｂの導体部７２に接触される接触凸部と該接触凸部とは逆向きに突出する被駆動凸部とを有する別仕様のコンタクトが設けられ、スライダ４に前記別仕様のコンタクトの被駆動凸部を駆動するコンタクト駆動部と前記駆動を解除するコンタクト駆動解除部が設けられてもよい。また、接続部材として、ＦＰＣが用いられてもよい。その他、本発明は、特許請求の範囲記載の範囲内で種々の変更を施すことができる。
【符号の説明】
【００６３】
１      コネクタ
２      コネクタ本体
３      コンタクト
４      スライダ
５      ロック部材
７      接続部材
７ａ    一方の面
３１    固定アーム（固定部）
３２    可動アーム
３２ａ  一端部
３２ｂ  他端部
３２ｃ  途中部
３３    弾性部
３６    接触凸部
３７    被駆動凸部
３７ｂ  第１傾斜部
３７ｃ  第２傾斜部
４２ｂ  係合凹部（係合部）
４６    コンタクト駆動部
４６ｂ  第１傾斜部
４７    コンタクト駆動解除部
４８    ロック部材駆動部
４９    ロック部材駆動解除部
５１    固定アーム（固定部）
５２    可動アーム
５２ａ  一端部
５２ｂ  他端部
５２ｃ  途中部
５３    弾性部
５６    ロック凸部
５７    被駆動凸部
７２    導体部
７５    被係止孔（被係止部）
Ｓ      挿入凹部
Ｓａ    挿入開口
Ｘ１    挿入方向
【図１】
2019046579.tif 000003
【図２】
2019046579.tif 000004
【図３】
2019046579.tif 000005
【図４】
2019046579.tif 000006
【図５】
2019046579.tif 000007
【図６】
2019046579.tif 000008
【図７】
2019046579.tif 000009
【図８】
2019046579.tif 000010